(57)【要約】【課題】  衣類を宅配するに際し、衣料ごとの包装、梱包を不用とする。【解決手段】  ロールボックスパレット１と、ハンガーバー２と、カバー３とを有している。ロールボックスパレット１は、外周３面に格子枠４を有し、正面に脱着式の扉５を有する無蓋有底のかご台車であり、ハンガーバー２は、衣類９のハンガー１０を引っ掛けるものであり、ロールボックスパレット１の格子枠４の上部外枠４ａ，又は横桟４ｂに横架させたものである。衣類９は、ハンガー１０に吊り下げたままでハンガーバー２に引っ掛けてロールボックスパレット１に格納される。カバー３は、ロールボックスパレット１の少なくとも正面および各側面を覆い、ロールボックスパレット１内に格納された衣類９を保護する。【選択図】  図１
2006290440.tif 000002
【特許請求の範囲】
【請求項１】
ロールボックスパレットと、ハンガーバーと、カバーとを有する衣類運送用コンテナであって、
ロールボックスパレットは、外周三面に格子枠を有し、正面に脱着式の扉を有する無蓋有底のかご台車であり、
ハンガーバーは、衣類のハンガーを引っ掛けるものであり、ロールボックスパレットの対向する格子枠の上部外枠又は、格子を形成する横桟の一部に脱着可能に係止させてロールボックスパレット内に横架させたものであり、
カバーは、ロールボックスパレットの少なくとも正面および各側面を覆って、ロールボックスパレット内に格納された衣類を外部から隔離するものであることを特徴とする衣類運送用コンテナ。
【請求項２】
ハンガーバーは、ハンガーを支えるバーの両端にフックを有し、
フックは、ロールボックスパレットの格子枠の上部外枠又は格子の横桟に引っ掛けるものであることを特徴とする請求項１に記載の衣類運送用コンテナ。
【請求項３】
フックは、固定具を有し、
固定具は、フックを引っ掛けた格子枠の上部外枠又は格子の横桟にフックを緊締して格子枠又は横桟からのハンガーバーの脱落を防止するものであることを特徴とする請求項１に記載の衣類運送用コンテナ。
【請求項４】
ハンガーバーは、セパレータを有し、
セパレータは、ハンガーバーの表面に突出し、ハンガーバーに引っ掛けられた複数のハンガー相互の接触を阻止するものであることを特徴とする請求項１に記載の衣類運送用コンテナ。
【請求項５】
ハンガーバーは、ハンガー抑えを有し、
ハンガー抑えは、ハンガーバーの上方にハンガーバーと平行に配列され、ハンガーバーに引っ掛けられたハンガーの跳ね上がりを抑えてハンガーバーからの脱落を阻止するものであることを特徴とする請求項１に記載の衣類運送用コンテナ。
【発明の詳細な説明】
【技術分野】
【０００１】
本発明は、衣類の運送に用いるコンテナに関する。
【背景技術】
【０００２】
宅配業務では小荷物の取扱い量に伴い、小荷物の集荷，運送，配達のシステム化が進んでいる。宅配便には、ロールボックスパレットが多用されている。ロールボックスパレットは外周三面に格子枠を有し、正面に脱着式の扉を備えた角型有底のコンテナであり、通常、かご台車と呼ばれ、ロールボックスパレット内に集荷した小荷物を収容して例えば、１１トントラックには、１６個のロールボックスパレットを積載して運ぶことができるとされている。
【０００３】
小荷物の取扱いでは、定型化されたロールボックスパレット内に小荷物を区分して収容すれば、荷物の取扱いが容易となり、トラック輸送では積載量を増大し、また、安全性を向上できる。ロールボックスパレットによれば、荷物を積み込んでそのまま倉庫で保管でき、搬送の際には、そのままトラックに積載し、先方でそのまま荷卸でき、小荷物の集荷，運送，配送のシステム化に極めて有効な運搬具である。
【０００４】
小荷物として扱われる商品には、例えば男子服、婦人服を含むいわゆるアパレル商品としての衣類がある。衣類を商品として衣料のメーカーから問屋へ、さらに問屋から各販売店へ搬送する場合には、通常宅配便が利用される場合が多いが、アパレル商品は、通常、折り畳んで箱詰め、或いは袋詰めされるため、商品によっては、搬送中に折り畳みしわができて簡単には皺を伸ばすことができなかったり、型崩れしたりするおそれがあった。
【０００５】
また、衣類は、商品として搬送されるだけでなく、例えば洗濯物として搬送される場合も多い。顧客から預かった洗濯物は取次店からランドリーへ運ばれ、また、洗濯済みの衣類は、ランドリーへから取次店へ戻されるが、特にランドリーから取次店へ戻される洗濯済みの衣類の搬送には、専ら洗濯物の運搬に専用の車両が用いられて通常宅配便は殆ど利用されていないようである。
【０００６】
その理由はあきらかではないが、折り畳みや、包装、梱包に手数が掛かり、また運搬時の扱いに起因した型崩れや皺の発生などが問題になるという理由からではないかと思われる。
【特許文献１】実開平４−１１３６号公報
【特許文献２】実開平７−２１５３６号公報
【発明の開示】
【発明が解決しようとする課題】
【０００７】
解決しようとする問題点は、衣類を運搬するに際して、衣料ごとの箱詰め、袋詰のための包装、梱包に手数がかかるだけでなく、折り畳むことによって、皺になったり，型崩れが生じたりするという点である。
【課題を解決するための手段】
【０００８】
本発明は、衣類をハンガーに吊り下げたままロールボックスパレットに梱包をして搬送可能とするため、商品ごとの梱包、包装が不用であり、商品に皺を生じさせず、商品の検品が容易である点を最大の特徴とする。
【発明の効果】
【０００９】
本発明の衣類運送用コンテナは、ハンガーに吊り下げた状態で箪笥や衣類かけに衣類を収納するのと同じ感覚で包装せずに衣類をロールボックスパレットに梱包でき、ロールボックスパレットの格子枠には、カバーが取り付けられるため、衣類は外部から隔離されて汚れず、またロールボックスパレットに梱包するに際して衣類を折り畳む必要がないので、皺になったり、型崩れしたりすることがなく、しかも衣類の大量輸送が可能となり、衣類はロールボックスパレット内に吊り下げられているだけであるので、扉を開いて格納された全衣類を観察できるため、検品が容易であるという利点がある。
【発明を実施するための最良の形態】
【００１０】
衣類を折り畳まず、また包装をせずに運搬するという目的を、既存のロールボックスパレットに衣類を吊り下げるハンガーバーを組合せ、さらにロールボックスパレットに衣類を保護するためのカバーを取り付けることによって特別の機器類を使用することなく実現した。
【実施例１】
【００１１】
以下に本発明の実施例を図によって説明する。図１において、本発明による衣類コンテナは、既存のロールボックスパレット１に、ハンガーバー２と、カバー３とを組合せたものである。
【００１２】
ロールボックスパレット１は、一般にかご台車として知られ、種々のタイプのものが用いられているが、その基本構造は共通しており、図１に示すように外周３面に格子枠４を有し、上面は開放され、正面に着脱式の扉５を備え、底面にはキャスタ６を有するものである。
【００１３】
ハンガーバー２は、衣類のハンガーを引っ掛けるバー２ａの両端にフック７，７を設けたものである。フック７は、ロールボックスパレット１の両側の対向する格子枠４の上部外枠４ａあるいは格子を形成する横桟４ｂの一部に脱着可能に係止してバー２ａをロールボックスパレット１の両側の対向する格子枠４，４間に水平姿勢で横架させる。
【００１４】
カバー３は、ロールボックスパレット１の格子枠４及び扉５の内側に取り付けられ、ロールボックスパレット１の少なくとも正面および外周三面及び扉５の内面を覆って、ロールボックスパレット１内に格納された衣類９を外部から遮断するものである。必要により外周３面の格子枠４の上縁に取り付けてロールボックスパレット１の開放された上面を覆うこともできる。
【００１５】
カバー３には、可撓性の防水シートを用い、シートの要所を外周３面の格子枠４及び正面５の扉にロープ８類を用いて結びつけるのが簡単であるが、必ずしもシートに限らず、硬質のボードをロールボックスパレット１の少なくとも正面および外周３面の格子枠４及び扉５の内側に単に立てかけておくだけでも少なくとも埃よけ、日よけとなる。カバー３は予めロールボックスパレット１に取り付け、或いはその内側に立てかけて置く。
【００１６】
本発明の衣類運送用コンテナを衣類９の宅配に用いるときには、ロールボックスパレット１の両側の格子枠４，４の上部外枠４ａ，４ａ又は横桟４ｂ，４ｂに引っ掛けたハンガーバー２に、衣類９を吊り下げたハンガー１０を引っ掛ける。その要領は、通常の洋服ダンスに洋服を格納する要領と全く同じであるが、必要により、衣類９に被い（図示略）をかけておくことは自由である。ハンガーバー２は、上部外枠４ａと格子を形成する横桟４ｂの一部とに選択的に取り付けるだけでなく、上部外枠４ａと格子を形成する横桟４ｂの一部とに取り付けて上段のハンガーバーと、下段のハンガーバーとに上下２段、或いは２段以上に衣類を収納することができる。また、格子を形成する横桟４ｂの前後にハンガーバーを取り付けて前後並列に衣類を収納することもできる。
【００１７】
すなわち、ロールボックスパレット１の両側の格子枠４，４の上部外枠４ａ，又は横桟４ｂに引っ掛けられたハンガーバー２の全長に渡って衣類９を吊り下げてロールボックスパレット１内に２以上の衣類９を並べて格納し、正面開口を扉５で閉じ、封印を施してそのまま倉庫に保管し、或いはトラックに積載して目的地運送し、目的地では、そのまま荷卸をし、ロールボックスパレット１を開いてハンガーバー２から衣類９をハンガー１０ごと取り外して客先に引き渡す。
【００１８】
その取扱いは通常のロールボックスパレット１に積載した積荷の扱いと全く同しである。すなわち、通常のロールボックスパレット１と同じ扱いにより、衣類９をハンガー１０にかけたままで目的地に向けて運送し、目的地では、積載してきた衣類９を運送用コンテナから荷卸をして商品であれば、取り出してそのまま店頭に陳列することができ、また、積載してきた衣類９がランドリーへから取次店へ戻された洗濯済みの衣類９であれば、積み卸した衣類９をそのまま取次店の店内に吊り下げて保管し、顧客に引き渡すことができる。
【００１９】
なお、ハンガーバー２には、図２（ａ）に示すように両端にフック７を有するバー２ａを用いる。両端のフック７は同じ形である必要はなく、例えば一方のフック７を格子枠４の上部外枠４ａ，又は横桟４ｂ形状にならわせて弯曲させ、かつばね作用を賦与すれば、保持枠に安定に引っ掛けることができる。あるいは、図２（ｂ）に示すようにハンガーバー２の固定具として両端にフック７の少なくとも一方に抑えネジ１１を取り付け、格子枠４の上部外枠４ａ，又は横桟４ｂを抱きかかえるように抑えネジ１１を締め付ければハンガーバー２の脱落を確実に防止できる。
【００２０】
さらに、バー２ａの周面一部にセパレータを設けることができる。図２（ｃ）のセパレータは、一定間隔をおいてバー２ａの両側にセパレータとして突子１２を突出させた例、図２（ｄ）は、一定間隔を置いてバーの周面に環状突条１３を設けた例である。ハンガーバー２にセパレータを設けることによって、ハンガーバー２に引っ掛けられた複数のハンガー１０の相互の接触が阻止され、格納される衣類相互間に一定の余裕を確保することができる。
【００２１】
図３は、ハンガーバー２にハンガー抑えを付設した例である。この例は、ハンガー抑えとして、ハンガーバー２の上方に一定間隔を置いてハンガーバー２と平行に抑えバー１４を配列し、その両端をフック７に連結した例を示している。ハンガーバー２に引っ掛けられたハンガー１０は、輸送中トラックから受ける振動や衝撃によって上方に跳ね上げられることが想定されるが、たとえ衣類９を吊り下げたハンガー１０が上方に跳ね上げられても、抑えバー１４に抑えられてハンガーバー２からの脱落は阻止される。
【００２２】
本発明の衣類運送用コンテナは、既存のロールボックスパレットを活用して箪笥内に衣類を収納するのと同じ要領で格納して運搬、保管ができ、折り畳む必要がないので衣類は皺にならず、大量輸送が可能となり、運搬、保管中はカバーで覆われるため、衣類は汚れず、また、日焼けすることがない。
【産業上の利用可能性】
【００２３】
メーカーから問屋へ、さらに問屋から各販売店へ運ばれる衣類の宅配、貸衣装の宅配、取次店とランドリー間の洗濯物、特にランドリーへから取次店へ戻される洗濯済みの衣類の運搬などに広く利用することができる。
【図面の簡単な説明】
【００２４】
【図１】本発明による衣類運送用コンテナの一実施例を示す要部断面斜視図である。
【図２】（ａ）〜（ｄ）はハンガーバーの実施形態を示す図である。
【図３】ハンガー抑えを有するハンガーバーを示す図である。
【符号の説明】
【００２５】
１  ロールボックスパレット
２  ハンガーバー
２ａ  バー
３  カバー
４  格子枠
４ａ  上部外枠
４ｂ  横桟
５  扉
６  キャスタ
７  フック
８  ロープ
９  衣類
１０  ハンガー
１１  抑えネジ
１２  突子
１３  環状突条
１４  抑えバー
【図１】
2006290440.tif 000003
【図２】
2006290440.tif 000004
【図３】
2006290440.tif 000005